(57)【要約】【課題】本発明は、薬剤取り揃え一覧表用紙、携帯端末、薬剤準備方法、薬剤準備システムに関するもので、利便性を高めることを目的とする。【解決手段】手作業で取り揃える薬剤の一覧表が記載された薬剤取り揃え一覧表用紙において、複数の手作業で取り揃える薬剤の名称と、複数の前記手作業で取り揃える薬剤の名称に対応する数量と、複数の識別コード部とを備え、各々の前記識別コード部の情報は、少なくとも１つ以上の前記手作業で取り揃える薬剤の名称と、少なくとも１つ以上の前記手作業で取り揃える薬剤の名称に対応する数量（２４Ａ、２４Ｂ、２４Ｃ）を含み、全ての前記識別コード部（２５Ａ、２５Ｂ、２５Ｃ）によって、全ての前記手作業で取り揃える薬剤の名称の情報（２３Ａ、２３Ｂ、２３Ｃ）と、全ての前記手作業で取り揃える薬剤の名称に対応する数量（２３Ａ、２３Ｂ、２３Ｃ）の情報とを識別する薬剤取り揃え一覧表用紙とした。【選択図】図３
2013196095.tif 000002
【特許請求の範囲】
【請求項１】
手作業で取り揃える薬剤の一覧表が記載された薬剤取り揃え一覧表用紙において、
複数の手作業で取り揃える薬剤の名称と、
複数の前記手作業で取り揃える薬剤の名称に対応する数量と、
複数の識別コード部と、
を備え、
各々の前記識別コード部の情報は、少なくとも１つ以上の前記手作業で取り揃える薬剤の名称と、少なくとも１つ以上の前記手作業で取り揃える薬剤の名称に対応する数量を含み、
全ての前記識別コード部によって、全ての前記手作業で取り揃える薬剤の名称の情報と、全ての前記手作業で取り揃える薬剤の名称に対応する数量の情報とを識別する薬剤取り揃え一覧表用紙。
【請求項２】
前記識別コード部は、ＱＲコード（登録商標）である請求項１に記載の薬剤取り揃え一覧表用紙。
【請求項３】
請求項１〜２のいずれか一つに記載の薬剤取り揃え一覧表用紙に記載された前記識別コード部を読み取り、その後、それぞれの前記携帯端末の表示部に、少なくとも１つ以上の前記手作業で取り揃える薬剤の名称と、少なくとも１つ以上の前記手作業で取り揃える薬剤の名称に対応する数量を表示可能である携帯端末。
【請求項４】
請求項１〜２のいずれか一つに記載の薬剤取り揃え一覧表用紙と、請求項３に記載の携帯端末を用いて、前記手作業で取り揃える薬剤を取り揃える薬剤取り揃え方法において、
複数の携帯端末を用いて前記識別コード毎に携帯端末で読み取り、
その後、それぞれの前記携帯端末の表示部に、少なくとも１つ以上の前記手作業で取り揃える薬剤の名称と、少なくとも１つ以上の前記手作業で取り揃える薬剤の名称に対応する数量を表示させ、
その後、それぞれの前記携帯端末をもちいて、少なくとも１つ以上の前記手作業で取り揃える薬剤の名称と、少なくとも１つ以上の前記手作業で取り揃える薬剤の名称に対応する数量を取り揃え、
その後、それぞれの携帯端末毎によって取り揃えられた薬剤を、指定された収納部に収納する薬剤準備方法。
【請求項５】
請求項１〜２のいずれか一つに記載の読み取りと、
請求項３に記載の携帯端末と、
を備えた薬剤準備システムにおいて、
前記識別コード毎に携帯端末で読み取り、
その後、それぞれの前記携帯端末の表示部に、少なくとも１つ以上の前記手作業で取り揃える薬剤の名称と、少なくとも１つ以上の前記手作業で取り揃える薬剤の名称に対応する数量を表示させ、
その後、それぞれの前記携帯端末をもちいて、少なくとも１つ以上の前記手作業で取り揃える薬剤の名称と、少なくとも１つ以上の前記手作業で取り揃える薬剤の名称に対応する数量を取り揃え、
その後、それぞれの携帯端末毎によって取り揃えられた薬剤を、指定された収納部に収納する薬剤準備システム。
【発明の詳細な説明】
【技術分野】
【０００１】
本発明は、病院などにおいて、医師によって作成された患者毎の処方箋に基づいて作成された薬剤取り揃え一覧表用紙、携帯端末、及びそれらを用いた薬剤準備方法と薬剤準備システム関するものである。
【背景技術】
【０００２】
現在、病院においては、医師によって作成された患者毎の処方箋に基づいて、患者毎の薬剤を準備する際、前記処方箋に記載された処方箋薬剤の一部の薬剤が薬剤払出装置によって、患者毎のトレイに自動的に準備され（以下、この薬剤払出装置によって準備された薬剤を薬剤払出装置準備薬剤と表記する）、更に、前記薬剤払出装置にて準備さていない薬剤（以下、この前記薬剤払出装置にて準備さていない薬剤を非実装薬剤と表記する）を、医療従事者によって、前記未実装薬剤を、手作業にて前記トレイに準備（以下、手動にて準備された未実装薬剤を未実装準備薬剤と表記する）されている（例えば特許文献１参照）。
【０００３】
現在、規模の大きい病院においては、入院患者数が多いことから、この未実装薬剤の準備を、一度、入院病棟のフロアー単位や入院病棟単位に集めるために、その単位にて薬剤取り揃え一覧表用紙を作成し、その薬剤取り揃え一覧表用紙に基づいて、一旦台車（以下、収納部の一例として表記する）に集められ、その後、前述のように、それぞれの患者毎に、前記未実装薬剤を、手作業にて前記トレイに準備されていた。
【先行技術文献】
【特許文献】
【０００４】
【特許文献１】特開２００２−０９２１６５号公報
【発明の概要】
【発明が解決しようとする課題】
【０００５】
前記従来の薬剤取り揃え一覧表用紙においては、入院病棟のフロアー単位や入院病棟単位にて作成されているため、手作業で取り揃える薬剤の種類が多いことに起因して、それらを取り揃える医療従事者（例えば、薬剤師）に、作業負担がかかるものであり、利便性が低いものであった。
【０００６】
そこで、本発明は、利便性を高めることを目的とするものである。
【課題を解決するための手段】
【０００７】
そしてこの目的を達成するために本発明は、手作業で取り揃える薬剤の一覧表が記載された薬剤取り揃え一覧表用紙において、複数の手作業で取り揃える薬剤の名称と、複数の前記手作業で取り揃える薬剤の名称に対応する数量と、複数の識別コード部とを備え、各々の前記識別コード部の情報は、少なくとも１つ以上の前記手作業で取り揃える薬剤の名称と、少なくとも１つ以上の前記手作業で取り揃える薬剤の名称に対応する数量を含み、全ての前記識別コード部によって、全ての前記手作業で取り揃える薬剤の名称の情報と、全ての前記手作業で取り揃える薬剤の名称に対応する数量の情報とを識別する薬剤取り揃え一覧表用紙とした。
【０００８】
これにより、所期の目的を達成するものである。
【発明の効果】
【０００９】
以上のように本発明は、手作業で取り揃える薬剤の一覧表が記載された薬剤取り揃え一覧表用紙において、複数の手作業で取り揃える薬剤の名称と、複数の前記手作業で取り揃える薬剤の名称に対応する数量と、複数の識別コード部とを備え、各々の前記識別コード部の情報は、少なくとも１つ以上の前記手作業で取り揃える薬剤の名称と、少なくとも１つ以上の前記手作業で取り揃える薬剤の名称に対応する数量を含み、全ての前記識別コード部によって、全ての前記手作業で取り揃える薬剤の名称の情報と、全ての前記手作業で取り揃える薬剤の名称に対応する数量の情報とを識別する薬剤取り揃え一覧表用紙であるので、利便性を高めることができる。
【００１０】
すなわち、本発明においては、各々の前記識別コード部は、少なくとも１つ以上の前記手作業で取り揃える薬剤の名称と、少なくとも１つ以上の前記手作業で取り揃える薬剤の名称に対応する数量を含み、全ての前記識別コード部によって、全ての前記手作業で取り揃える薬剤の名称と、全ての前記手作業で取り揃える薬剤の名称に対応する数量とを識別することができるので、複数の医療従事者が、その薬剤取り揃え一覧表用紙に記載された薬剤を、手分けして取り揃え業務を行うことができるようになるので、作業負担を軽減することができ、その結果として、利便性を高めることができるのである。
【図面の簡単な説明】
【００１１】
【図１】本発明の実施の形態１における薬剤準備システムの概略図
【図２】本発明の実施の形態１における処方箋シートの正面図
【図３】本発明の実施の形態１における薬剤取り揃え一覧表用紙の正面図
【図４】本発明の実施の形態１における端末装置の表示部に表示された手作業で取り揃える薬剤の名称と、手作業で取り揃える薬剤の名称に対応する数量との情報の一例を示す図
【図５】本発明の実施の形態１における非実装薬品が保管された部屋の一例を示す上面図
【図６】本発明の実施の形態１における携帯端末の正面図
【図７】本発明の実施の形態１における携帯端末のブロック図
【発明を実施するための形態】
【００１２】
以下、本発明の一実施形態を、図面とともに詳細に説明する。
【００１３】
（実施の形態１）
［１］薬剤準備システムの構成、及び薬剤取り揃え一覧表用紙の構成
まずはじめに、図１、図２を用いて、本実施形態の薬剤準備システム、及び薬剤取り揃え一覧表用紙に関して説明する。
図１は、本発明の実施の形態１における薬剤準備システムの概略図を示すものである。また、図２は、本発明の実施の形態１における処方箋シートの正面図を示すものである。また、図３は、本発明の実施の形態１における薬剤取り揃え一覧表用紙の正面図を示すものである。
【００１４】
図１にしめすように、病院１の薬剤部２には、患者毎にトレイ３に、医師によって作成された患者毎の処方箋に記載された処方箋薬剤の一部の薬剤４（以下、薬剤払出装置準備薬剤４と表記する）を自動で選択し、このトレイ３に準備する薬剤払出装置５が設けられている。
【００１５】
また、図１、図２にしめすように、このトレイ３には、薬剤払出装置５を用いて、どの患者のものであるか等を識別するために、例えば、患者の名前６、性別７、年齢８、患者ＩＤ９、病棟１０、病室１１、日付１２等などが記載された処方箋シート１３が準備される。本実施形態における処方箋シート１３には、処方箋に記載された薬剤である処方箋薬剤１４と、前述の薬剤払出装置準備薬剤４と前記薬剤払出装置にて準備さていない非実装薬剤１５とを識別する識別情報１６（図２中に図示）と、その処方箋を特定するための情報である処方箋特定情報を識別する処方箋識別ラベル３７とが記載されている。
【００１６】
また、図１中の点線の矢印で示すように、診察室１７で医者によって作成された処方箋データは、端末装置１９によって入力され、一旦、薬剤管理サーバ１８に保管される。その後、薬剤管理サーバ１８は、前述の処方箋データ中の処方箋薬剤１４から、薬剤払出装置準備薬剤４と、非実装薬剤１５の２種類に自動的に分別する。例えば、点滴バック等体積が大きい薬剤は、薬剤払出装置５にて準備するのには適さない（なぜなら、体積が大きい薬剤は、薬剤払出装置５内に蓄積する薬剤の数が非常に少なくなり、すぐに薬剤を薬剤払出装置５内に充填する必要があり、その結果として、薬剤払出装置５の利便性が低下するためです）ため、そのような薬剤は、薬剤払出装置準備薬剤４ではなく、非実装薬剤１５として、医療従事者（以下、第１の医療従事者の一例）によって、手作業で準備する。
【００１７】
また、図１にしめすごとく、薬剤払出装置準備薬剤４と、非実装薬剤１５の２種類に分別された情報を含む処方箋データは、薬剤払出装置５の処方箋出力手段（図示なし）によって、前述のように患者の名前６、性別７、年齢８、患者ＩＤ９、病棟１０、病室１１、日付１２、処方箋薬剤１４、識別情報１６、処方箋識別ラベル３７等が記載された処方箋シート１３が、そのトレイ３に準備される。更に、本実施形態においては、この患者毎のトレイ３に、薬剤払出装置準備薬剤４と処方箋シート１３が準備された後、一旦、病棟単位でこのトレイを搬送・管理するためのトレイ用台車２０に載せられる。
【００１８】
また、本実施形態においては、図１にしめすように、前述の非実装薬剤１５を病棟単位に一覧表し、それを紙面に記載した薬剤取り揃え一覧表用紙２１が、プリント出力手段２２によって、出力される。ここで、本実施形態におけるは、図３にしめすように、複数の手作業で取り揃える薬剤の名称２３Ａ、２３Ｂ、２３Ｃと、複数の手作業で取り揃える薬剤の名称に対応する数量２４Ａ、２４Ｂ、２４Ｃと、複数の識別コード部２５Ａ、２５Ｂ、２５Ｃとが備えられている。更に、各々の識別コード部２５Ａ、２５Ｂ、２５Ｃの情報は、少なくとも１つ以上の手作業で取り揃える薬剤の名称２３Ａ、２３Ｂ、２３Ｃの情報と、少なくとも１つ以上の手作業で取り揃える薬剤の名称に対応する数量２４Ａ、２４Ｂ、２４Ｃの情報とを含んでおり、全ての前記識別コード部（すなわち、識別コード部２５Ａ＋識別コード部２５Ｂ＋識別コード部２５Ｃ）によって、全ての手作業で取り揃える薬剤の名称の情報（すなわち、手作業で取り揃える薬剤の名称２３Ａ＋手作業で取り揃える薬剤の名称２３Ｂ＋手作業で取り揃える薬剤の名称２３Ｃ）と、全ての前記手作業で取り揃える薬剤の名称に対応する数量の情報（すなわち、手作業で取り揃える薬剤の名称に対応する数量２４Ａ＋手作業で取り揃える薬剤の名称に対応する数量２４Ｂ＋手作業で取り揃える薬剤の名称に対応する数量２４Ｃ）とを識別するようになっている。
【００１９】
具体的には、本実施形態における識別コード部２５Ａは、手作業で取り揃える薬剤の名称２３Ａと、手作業で取り揃える薬剤の名称に対応する数量２４Ａとの情報が識別でき、本実施形態における識別コード部２５Ｂは、手作業で取り揃える薬剤の名称２３Ｂと、手作業で取り揃える薬剤の名称に対応する数量２４Ｂとの情報が識別でき、本実施形態における識別コード部２５Ｃは、手作業で取り揃える薬剤の名称２３Ｃと、手作業で取り揃える薬剤の名称に対応する数量２４Ｃとの情報が識別できるようになっている。
【００２０】
更に、本実施形態においては、図１、図３に示すように、医療従事者（第１の医療従事者の一例）は、携帯端末２６（第１の携帯端末の一例）を用いて、薬剤取り揃え一覧表用紙２１に記述されている識別コード部２５Ａを読み込み、それに対応する薬剤の名称２４Ａと、手作業で取り揃える薬剤の名称に対応する数量２４Ｂを、その携帯端末２６の表示部２７（後述の図６に図示）に表示する。図４は、本実施の形態１における端末装置の表示部に表示された手作業で取り揃える薬剤の名称と、手作業で取り揃える薬剤の名称に対応する数量との情報の一例を示す図を示すものである。図４に示すように、本実施形態においては、携帯端末２６の表示部２７には、それに対応する手作業で取り揃える薬剤の名称２３Ａと、手作業で取り揃える薬剤の名称に対応する数量２４Ａとが表示される。その後、医療従事者は、その表示部２７の表示に従って薬剤を取り揃え、指定された病棟別収納棚２８（指定された収納部の一例）に収納するのである。
【００２１】
更に、別の医療従事者（第２の医療従事者の一例）は、別の携帯端末２６（第２の携帯端末の一例）を用いて、上述と同じように、薬剤取り揃え一覧表用紙２１に記述されている識別コード部２５Ｂを読み込み、それに対応する手作業で取り揃える薬剤の名称２３Ｂと、手作業で取り揃える薬剤の名称に対応する数量２４Ｂを、その携帯端末２６の表示部２７（後述の図６に図示）に表示する。その後、医療従事者は、その表示部２７の表示に従って薬剤を取り揃え、指定された病棟別収納棚２８に収納するのである。
更に、別の医療従事者（第３の医療従事者の一例）は、別の携帯端末２６（第３の携帯端末の一例）を用いて、上述と同じように、薬剤取り揃え一覧表用紙２１に記述されている識別コード部２５Ｃを読み込み、それに対応する手作業で取り揃える薬剤の名称２３Ｃと、手作業で取り揃える薬剤の名称に対応する数量２４Ｃを、その携帯端末２６の表示部２７（後述の図６に図示）に表示する。その後、医療従事者は、その表示部２７の表示に従って薬剤を取り揃え、指定された病棟別収納棚２８に収納するのである。
【００２２】
このように、本実施形態においては、複数の医療従事者（本実施形態では、その一例として、３名の医療従事者）によって、その薬剤取り揃え一覧表用紙に記載された薬剤を、手分けして取り揃え業務を行うことができるようになるので、作業負担を軽減することができ、その結果として、利便性を高めることができる。
【００２３】
ここで、複数の医療従事者（本実施形態では、その一例として、３名の医療従事者）によって、その薬剤取り揃え一覧表用紙に記載された薬剤を、手分けして取り揃え業務を行うことができるようになるので、作業負担を軽減することができるのかを説明する。
【００２４】
図５は、本発明の実施の形態１における非実装薬品が保管された部屋の一例を示す上面図である。
【００２５】
図５にしめすように、一般に、非実装薬剤１５は、体積が大きい薬剤は保管棚２９、冷所保存が必要な薬剤は保管棚３０、厳重に管理が必要な薬剤は保管棚３１等、それぞれに応じた保管棚別に保管されており、医療従事者は、その保管棚２９、３０、３１の前に移動して、必要な薬剤を取り揃える。本実施形態においては、例えば、識別コード部２５Ａには、保管棚２９に保管されている手作業で取り揃える薬剤の名称２３Ａと、その手作業で取り揃える薬剤の名称に対応する数量２４Ａとの情報を含ませ、また、識別コード部２５Ｂには、保管棚３０に保管されている手作業で取り揃える薬剤の名称２３Ｂと、手作業で取り揃える薬剤の名称に対応する数量２４Ｂとの情報を含ませ、更に、識別コード部２５Ｃには、保管棚３１に保管されている手作業で取り揃える薬剤の名称２３Ｃと、手作業で取り揃える薬剤の名称に対応する数量２４Ｃとの情報を含ませることによって、それぞれの薬剤を取り揃える際に、複数の医療従事者（本実施形態では、その一例として、３名の医療従事者）は、それら保管棚から、対応する薬剤を取り揃えればよく、その結果として、保管棚からその他の保管棚への移動を大幅に削減することができるのである。
【００２６】
従って、本実施形態においては、複数の医療従事者（本実施形態では、その一例として、３名の医療従事者）によって、その薬剤取り揃え一覧表用紙に記載された薬剤を、手分けして取り揃え業務を行うことができるようになるので、作業負担を軽減することができ、その結果として、利便性を高めることができるのである。
【００２７】
なお、その後、図１にしめすように、医療従事者（第４の医療従事者の一例）は、指定された病棟別収納棚２８から非実装薬剤１５を取り出し、薬剤払出装置準備薬剤４が準備されたトレイ３上に、それら非実装薬剤１５を準備する（以下、トレイ３上に準備された薬剤払出装置準備薬剤４と、非実装薬剤１５との両者を合わせて準備薬剤３２と表記する）。その後、準備薬剤３２が準備されたトレイ３は、薬剤部２の監査課において、医療従事者（第５の医療従事者の一例）によって、トレイ３上の準備薬剤３２が、処方箋に記載された薬剤であるかどうかの薬剤照合が行われる。その後、薬剤照合の後、このトレイ３は、病棟１０の病室１１に運ばれ、患者に投与される。
【００２８】
また、本実施形態においては、また、本実施形態において、識別コード部２５Ａ、２５Ｂ、２５Ｃとしては、ＱＲコード（登録商標）を使用したが、薬剤や処方箋を識別できるバーコード等を用いることもできる。
【００２９】
以上が、本実施形態における病院における薬剤管理システムに関する説明である。
【００３０】
［３］携帯端末２６の構成
次に、本実施形態における携帯端末２６に関して説明する。
【００３１】
図６は、本発明の実施の形態１における携帯端末の正面図を示すものである。また、図７は、本発明の実施の形態１における携帯端末のブロック図を示すものである。
本実施形態における携帯端末２６は、図６、図７に示すように、表示部２７と、その表示部を駆動する表示部駆動部３３（図７中に図示）と、医療従事者を特定するための医療従事者特定情報等の情報を入力する入力部３４（入力手段の一例）と、薬剤取り揃え一覧表用紙２１上に備えられた識別コード部２５Ａ、２５Ｂ、２５Ｃから、手作業で取り揃える薬剤の名称２３Ａ、２３Ｂ、２３Ｃと、手作業で取り揃える薬剤の名称に対応する数量２４Ａ、２４Ｂ、２４Ｃを読み取るＱＲコード（登録商標）リーダ３５（識別コード部読み取り手段の一例）と、ＱＲコード（登録商標）リーダ３５、入力部３４、表示部駆動部３３と接続され、それらを制御する制御部３６を備えている。
【００３２】
また、制御部３６には、記憶部３８が備えられており、この制御部３６は、識別コード部２５Ａ、２５Ｂ、２５Ｃを読み取り、その後、携帯端末２６の表示部２７に、少なくとも１つ以上の手作業で取り揃える薬剤の名称２３Ａ、２３Ｂ、２３Ｃと、少なくとも１つ以上の手作業で取り揃える薬剤の名称に対応する数量２４Ａ、２４Ｂ、２４Ｃを表示する動作を行うための行うためのプログラムが保存されている。本実施形態においては、このプログラムを実行することにより、識別コード部２５Ａ、２５Ｂ、２５Ｃを読み取り、その後、携帯端末２６の表示部２７に、少なくとも１つ以上の手作業で取り揃える薬剤の名称２３Ａ、２３Ｂ、２３Ｃと、少なくとも１つ以上の手作業で取り揃える薬剤の名称に対応する数量２４Ａ、２４Ｂ、２４Ｃを表示する動作を行うことができる。
【００３３】
以上が、本実施形態における携帯端末２６の構成に関する説明である。
【産業上の利用可能性】
【００３４】
本発明においては、各々の前記識別コード部は、少なくとも１つ以上の前記手作業で取り揃える薬剤の名称と、少なくとも１つ以上の前記手作業で取り揃える薬剤の名称に対応する数量を含み、全ての前記識別コード部によって、全ての前記手作業で取り揃える薬剤の名称と、全ての前記手作業で取り揃える薬剤の名称に対応する数量とを識別することができるので、複数の医療従事者が、その薬剤取り揃え一覧表用紙に記載された薬剤を、手分けして取り揃え業務を行うことができるようになるので、作業負担を軽減することができ、その結果として、利便性を高めることができる。
【００３５】
従って、薬剤取り揃え一覧表用紙、携帯端末、及びそれらを用いた薬剤準備方法と薬剤準備システムとして活用が期待されるものとなる。
【符号の説明】
【００３６】
１  病院
２  薬剤部
３  トレイ
４  薬剤払出装置準備薬剤
５  薬剤払出装置
６  患者の名前
７  性別
８  年齢
９  患者ＩＤ
１０  病棟
１１  病室
１２  日付
１３  処方箋シート
１４  処方箋薬剤
１５  非実装薬剤
１６  識別情報
１７  診察室
１９  端末装置
１８  薬剤管理サーバ
２０  トレイ用台車
２１  薬剤取り揃え一覧表用紙
２２  プリント出力手段
２３Ａ、２３Ｂ、２３Ｃ  手作業で取り揃える薬剤の名称
２４Ａ、２４Ｂ、２４Ｃ  手作業で取り揃える薬剤の名称に対応する数量
２５Ａ、２５Ｂ、２５Ｃ  識別コード部
２６  携帯端末
２７  表示部
２８  指定された病棟別収納棚
２９、３０、３１  保管棚
３２  準備薬剤
３３  表示部駆動部
３４  入力部
３５  ＱＲコード（登録商標）リーダ
３６  制御部
３７  処方箋識別ラベル
３８  記憶部
【図１】
2013196095.tif 000003
【図２】
2013196095.tif 000004
【図３】
2013196095.tif 000005
【図４】
2013196095.tif 000006
【図５】
2013196095.tif 000007
【図６】
2013196095.tif 000008
【図７】
2013196095.tif 000009